(57)【要約】【課題】  単に占い結果を提供するだけでなく、その占い結果を利用者の情報取捨選択の一基準として機能させる情報提供システム及びその情報提供方法を提供する。  【解決手段】  本発明の実施形態である占い結果を用いた情報提供システムは、複数のユーザ端末１０ａ〜１０ｎと、占選システムサーバ２０と、情報提供サイト３０と、がインターネット等の通信回線網１００を介して接続されてなる。占選システムサーバ２０は、ユーザ端末１０ａを介して送信されるユーザ属性情報を登録後、当該登録されたユーザ属性情報を用いて利用者の占い分析を行い、情報提供サイト３０上で提供される様々な情報のうち、どの情報が利用者に最も適しているかを上記占い分析の結果を情報選択基準として選択し、利用者に最も適していると判断された情報をユーザ端末１０ａへ配信する。よって、利用者が情報の選択に迷った際に、自らの占い結果に基づいて最適と判断された情報を容易に取得することが可能となる。【選択図】        図１    
2005107562.tif 000002
【特許請求の範囲】
【請求項１】
占選システムサーバと、複数の情報提供サイトと、複数のユーザ端末と、が通信回線網を介して接続されてなる情報提供システムであって、
前記占選システムサーバは、
任意のユーザ端末から送信されるシステム利用者のユーザ属性情報を登録する登録手段と、
前記ユーザ端末からの情報選択要求に対して、前記登録手段により登録されたユーザ属性情報に基づいて、所定の占いプログラムに基づく演算処理を行う演算手段と、
前記演算手段による演算結果に基づいて、前記複数の情報提供サイトにて提供される情報の中から、前記システム利用者に最適と判断される情報を前記ユーザ端末へ配信する情報配信手段と、
を具備することを特徴とする情報提供システム。
【請求項２】
複数の情報提供サイトと、複数のユーザ端末と、が通信回線網を介して接続されてなる情報提供システムであって、
前記情報提供サイトの夫々の管理会社は、占選システムサーバを具備し、
該占選システムサーバは、
前記情報提供サイトを介して任意のユーザ端末から送信されるシステム利用者のユーザ属性情報を登録する登録手段と、
前記任意のユーザ端末からの情報選択要求に対して、前記登録手段により登録されたユーザ属性情報に基づいて、所定の占いプログラムに基づく演算処理を行う演算手段と、
前記演算手段による演算結果に基づいて、前記情報提供サイトにて提供される情報の中から、前記システム利用者に最適と判断される情報を前記ユーザ端末へ配信する情報配信手段と、
を具備することを特徴とする情報提供システム。
【請求項３】
占選システムサーバと、複数の情報提供サイトと、複数のユーザ端末と、が通信回線網を介して接続されてなる情報提供システムの情報提供方法であって、
前記占選システムサーバは、
任意のユーザ端末から送信されるシステム利用者のユーザ属性情報を登録する第１の登録ステップと、
前記ユーザ端末からの情報選択要求に対して、前記第１の登録ステップにより登録されたユーザ属性情報に基づいて、所定の占いプログラムに基づく演算処理を行う演算ステップと、
前記演算ステップによる演算結果に基づいて、前記複数の情報提供サイトにて提供される情報の中から、前記システム利用者に最適と判断される情報を前記ユーザ端末へ配信する情報配信ステップと、
を具備することを特徴とする情報提供システムの情報提供方法。
【請求項４】
前記占選システムサーバは、
前記ユーザ属性情報の登録処理後、複数の情報カテゴリーを含む詳細メニューを前記ユーザ端末に配信し、
前記システム利用者は、
前記配信された前記詳細メニューに含まれる情報カテゴリーの中から、所望の情報カテゴリーを選択し、当該選択した情報カテゴリーに基づき前記ユーザ端末を介して前記占選システムサーバへ情報選択要求を送信することを特徴とする請求項３記載の情報提供システムの情報提供方法。
【請求項５】
前記第１の登録ステップは、
任意のユーザ端末からユーザ属性情報が送信される毎に、固有の識別番号を付して登録処理し、
同ユーザ端末からの次回以降の情報選択要求時には、前記登録処理されたユーザ属性情報に基づいて処理を実行することを特徴とする請求項３又は４記載の情報提供システムの情報提供方法。
【請求項６】
前記ユーザ属性情報は、
前記ユーザ端末からの変更要求により、適宜変更することが可能であることを特徴とする請求項３から５の何れか１項に記載の情報提供システムの情報提供方法。
【請求項７】
前記占選システムサーバは、
任意の情報提供サイトを介してアクセスのあった任意のユーザ端末から送信されるシステム利用者のユーザ属性情報を登録する第２の登録ステップを有し、
前記第２の登録ステップにより登録された前記ユーザ属性情報に基づいて前記演算ステップによる演算処理を行うことを特徴とする請求項３から６の何れか1項に記載の情報提供システムの情報提供方法。
【発明の詳細な説明】
【技術分野】
【０００１】
本発明は、占い結果を用いた情報提供システム及びその情報提供方法に関し、特に占いの結果を利用者の情報選択基準として利用し、Ｗｅｂ上に混在する様々な情報の中から当該利用者に最も相応しい情報を選択して提供することが可能な占い結果を用いた情報提供システム及びその情報提供方法に関する。
【背景技術】
【０００２】
従来、占いサービスシステムとして、インターネット上で取り扱われる占いサイトは、単に利用者がユーザ端末から個人情報（名前、生年月日、性別、血液型など）を送信し、この送信された個人情報に基づいて所定の占いサーバ（占い用アルゴリズムを具備）で処理された結果を返信するというものであった。
【０００３】
インターネットの普及により利便性が向上した一方、巷では様々な情報が混在しているため、利用者（ユーザ）は何を基準に情報を選択したらよいのか、という根本的な悩みや不安、迷いを感じているという現状がある。また、昨今の経済事情や社会情勢の不安定から、精神世界の重要性が認識され始め、心の拠り所として占いを選択基準の１つとして構築することは、利用者にとって大変有意義なことである。
【０００４】
例えば、上述したような占いサービスシステムとして以下の特許文献１が公知となっている。
【特許文献１】特開２００２−３５４０５号公報
【発明の開示】
【発明が解決しようとする課題】
【０００５】
しかしながら、上述した特許文献１のような従来の占いサービスシステムは、単に利用者から送信された個人情報に基づいた占い結果を返信するのみで、利用者から見たメリットは占い結果を知ることができるに留まり、混在する情報コンテンツの取捨選択に占いの結果を反映させることはできないため、利用者が能動的に自ら選択処理を行わなければならなかった。
【０００６】
このような従来の占いサービスシステムによれば、情報選択に迷いを生じている利用者は、「自分が何をしたいのか？」、「何を基準に選んだらよいのか？」等といった悩みを抱え込んだままとなり得る可能性があり、結果的に選択することができないという状況が起こり得る。つまり、後一押ししてくれれば選択することができる、気持ちを決めることができる、といった“ワンプッシュ”をしてくれる何かを利用者は期待しているのである。
【０００７】
そこで、本発明は、単に占い結果を提供するだけでなく、その占い結果を利用者の情報取捨選択の一基準として機能させる情報提供システム及びその情報提供方法を構築することを目的とする。詳述すると、本発明は、占いサービスの提供側が能動的に利用者個人の占い結果を、利用者の情報選択基準として用いて当該利用者にとって最適と判断される情報を効率良く提供する占い結果を用いた情報提供システム及びその情報提供方法を提供することを目的とするものである。
【課題を解決するための手段】
【０００８】
前記課題を解決するために、本発明の情報提供システムは、占選システムサーバと、複数の情報提供サイトと、複数のユーザ端末と、が通信回線網を介して接続されてなる情報提供システムであって、前記占選システムサーバは、任意のユーザ端末から送信されるシステム利用者のユーザ属性情報を登録する登録手段と、前記ユーザ端末からの情報選択要求に対して、前記登録手段により登録されたユーザ属性情報に基づいて、所定の占いプログラムに基づく演算処理を行う演算手段と、前記演算手段による演算結果に基づいて、前記複数の情報提供サイトにて提供される情報の中から、前記システム利用者に最適と判断される情報を前記ユーザ端末へ配信する情報配信手段と、を具備することを特徴とする。
【０００９】
本発明の情報提供システムは、複数の情報提供サイトと、複数のユーザ端末と、が通信回線網を介して接続されてなる情報提供システムであって、前記情報提供サイトの夫々の管理会社は、占選システムサーバを具備し、該占選システムサーバは、前記情報提供サイトを介して任意のユーザ端末から送信されるシステム利用者のユーザ属性情報を登録する登録手段と、前記任意のユーザ端末からの情報選択要求に対して、前記登録手段により登録されたユーザ属性情報に基づいて、所定の占いプログラムに基づく演算処理を行う演算手段と、前記演算手段による演算結果に基づいて、前記情報提供サイトにて提供される情報の中から、前記システム利用者に最適と判断される情報を前記ユーザ端末へ配信する情報配信手段と、を具備することを特徴とする。
【００１０】
本発明の情報提供システムの情報提供方法は、占選システムサーバと、複数の情報提供サイトと、複数のユーザ端末と、が通信回線網を介して接続されてなる情報提供システムの情報提供方法であって、前記占選システムサーバは、任意のユーザ端末から送信されるシステム利用者のユーザ属性情報を登録する登録ステップと、前記ユーザ端末からの情報選択要求に対して、前記登録ステップにより登録されたユーザ属性情報に基づいて、所定の占いプログラムに基づく演算処理を行う演算ステップと、前記演算ステップによる演算結果に基づいて、前記複数の情報提供サイトにて提供される情報の中から、前記システム利用者に最適と判断される情報を前記ユーザ端末へ配信する情報配信ステップと、を具備することを特徴とする。
【００１１】
また、前記占選システムサーバは、前記ユーザ属性情報の登録処理後、複数の情報カテゴリーを含む詳細メニューを前記ユーザ端末に配信し、前記システム利用者は、前記配信された前記詳細メニューに含まれる情報カテゴリーの中から、所望の情報カテゴリーを選択し、当該選択した情報カテゴリーに基づき前記ユーザ端末を介して前記占選システムサーバへ情報選択要求を送信することを特徴とする。
【００１２】
また、前記第１の登録ステップは、任意のユーザ端末からユーザ属性情報が送信される毎に、固有の識別番号を付して登録処理し、同ユーザ端末からの次回以降の情報選択要求時には、前記登録処理されたユーザ属性情報に基づいて処理を実行することを特徴とする。
【００１３】
また、前記ユーザ属性情報は、前記ユーザ端末からの変更要求により、適宜変更することが可能であることを特徴とする。
【００１４】
さらに、前記占選システムサーバは、任意の情報提供サイトを介してアクセスのあった任意のユーザ端末から送信されるシステム利用者のユーザ属性情報を登録する第２の登録ステップを有し、前記第２の登録ステップにより登録された前記ユーザ属性情報に基づいて前記演算ステップによる演算処理を行うことを特徴とする。
【発明の効果】
【００１５】
本発明によれば、利用者が情報の選択に迷った際に、予め姓名、生年月日、血液型等の個人情報（ユーザ属性情報）を占選システムサーバ上に登録しておき、その個人情報及び占いプログラムに基づいて占選分析処理を行った占い結果を用いて、上記選択に迷った情報の取捨選択処理を自動的にサーバ側で行った後、利用者に最適と判断された結果を選択情報として配信することができる。
【００１６】
また、本発明によれば、占選システムサーバにより提供されるＷｅｂ情報に限らず、他社により運営される情報提供サイト上における情報の選択基準としても、占い結果を用いて情報の取捨選択処理を行うことができる。
【００１７】
さらに、本発明によれば、ユーザ属性情報を未登録の状態で他の情報提供サイトをブラウジングしているユーザも、当該情報提供サイトを介して占選システムサーバにアクセスしてユーザ属性情報を登録し、本システムによる情報提供サービスを享受することができるので、利便性を向上することができる。
【発明を実施するための最良の形態】
【００１８】
以下、添付図面を参照しながら本発明に係る占い結果を用いた情報提供システム及びその方法の実施の形態を詳細に説明する。図１から図５に、本発明に係る占い結果を用いた情報提供システム及びその情報提供方法の実施例を示す。
【実施例１】
【００１９】
図１は、本発明の情報提供システムの概略構成を示すブロック図である。
【００２０】
図１において、本発明の第１の実施形態である情報提供システムは、複数のユーザ端末１０ａ〜１０ｎと、占選システムサーバ２０と、複数の情報提供サイト３０ａ〜３０ｎと、がインターネット等の通信回線網１００を介して接続されてなる。
【００２１】
なお、この通信回線網１００は、無線／有線を問わず、例えば、光ファイバーなどによる接続であってもよい。
【００２２】
ユーザ端末１０ａ〜１０ｎは、本システムの利用者によって操作される端末装置であり、通信回線網１００にアクセス可能な環境下にある端末装置であれば、その形態は問われるものでなく、固定通信端末、移動通信端末の何れであってもよい。
【００２３】
占選システムサーバ２０は、本システムの運営管理側（サービス提供者側）により管理されるサーバ装置であり、少なくとも、ユーザ属性ＤＢ２１と、ＣＰＵ２２と、運勢情報ＤＢ２３と、から構成される。この占選システムサーバ２０は、運勢情報ＤＢ２３内に占星術占い、西洋占星術、東洋占星術、姓名判断、タロット占い、オリジナル占いなどの複数種の占いを実行可能なように複数の占い用プログラムを記憶しておき、情報選択時、ＣＰＵ２２による演算処理を行うことで占い結果を算出する。これらの占い用プログラムは、特に限定されるものでなく、占いの仕様により適宜設定変更することが可能である。
【００２４】
情報提供サイト３０ａ〜３０ｎは、通信回線網１００上で様々な情報の発信元ととして機能するＷｅｂサイトであり、本システムの運営管理会社により別途運営されるサイトであっても、第三者の管理会社により運営される提携サイトであってもよい。
【００２５】
図２は、本発明の情報提供システムの動作例を示すシーケンスチャートである。
【００２６】
まず、利用者は、ユーザ端末１０ａから占選システムサーバ２０へアクセスし、サービスの利用申し込みを行う（ステップS１）。これに対して、占選択システムサーバ２０は、利用者の個人情報（以下、ユーザ属性情報と称す）を登録するための入力フォームをユーザ端末１０aへ送信する（ステップS２）。利用者は、占選システムサーバ２０から送信された入力フォーム上でユーザ属性情報として、氏名、生年月日、血液型といった占いに必要とされる様々な情報の入力処理を行った後、再び占選システムサーバ２０へユーザ属性情報の登録依頼を送信する（ステップS３）。
【００２７】
占選システムサーバ２０は、ユーザ端末１０ａを介して利用者が入力したユーザ属性情報に固有の識別番号として利用者ＩＤを付してユーザ属性ＤＢ２１にて登録管理し（ステップS４）、登録処理が完了した旨をユーザ端末１０ａへ通知する（ステップＳ５）。この通知と共に、複数の情報カテゴリーを含む詳細メニューを送信するとよい。
【００２８】
なお、利用者からの次回以降のアクセス（情報選択要求）時には、当該利用者ＩＤに基づいてユーザ属性ＤＢ２１を参照して利用者を特定後、登録されたユーザ属性情報を用いて処理を実行する。
【００２９】
また、情報選択要求は、上述した詳細メニューのうちの何れかのカテゴリーを選択することにより送信することができる。例えば、このような情報のカテゴリーとしては、「旅行」、「クルマ」、「恋愛（結婚）」、「仕事」、「社交」、「食事」、「習い事」、「転職」、「住居」、といった様々なカテゴリーを設けることが可能である。
【００３０】
占選システムサーバ２０は、ユーザ端末１０ａを介して利用者からの情報選択依頼が送信されると（ステップS６）、運勢情報ＤＢ２３に搭載される占いプログラムを用いてＣＰＵ２２で演算処理を行い、利用者の占い分析処理を実効する（ステップＳ７）。
【００３１】
次に、占選システムサーバ２０は、上記占い分析の処理結果（占い結果）を情報選択の基準として、情報提供サイト３０上に展開される様々な情報の中から、利用者にとって最も適していると判断される情報の取得処理を実行する（ステップＳ８）。
【００３２】
情報提供サイト３０ａ〜３０ｎは、占選システムサーバ２０からの取得処理に対して、上記占い結果に相応する情報を占選システムサーバ２０へ送信する（ステップＳ９）。占選システムサーバ２０は、情報提供サイト３０ａ〜３０ｎから送信された情報をユーザ端末１０ａに配信する。
【００３３】
なお、占い結果に基づいて選択取得された情報がどのようなものであるかといったログ管理を行う上で占選システムサーバ２０を介して配信する方式が採用されている。
【００３４】
図３は、ユーザ端末上に表示される画面例を示す平面図である。
【００３５】
図３に示すように、画面左側のウィンドウには、詳細メニューとして様々な情報のカテゴリーがボタン形式で表示されている。ユーザは、占い結果に基づいて取得したい情報のカテゴリーを選択すると、当該選択したカテゴリーのボタンにカーソルを合わせてクリックすることにより、占選システムサーバ２０で分析された占い結果に基づいて選択された当該ユーザに最も適していると判断された有用な情報を取得することができる。
【００３６】
画面右側のウィンドウには、占選システムサーバ２０で分析された占い結果に基づいて選択された当該ユーザに最も適していると判断された情報提供サイト３０のＷｅｂページが情報表示領域に表示される。この際、占い結果を表示するための領域を設けておいてもよい。
【００３７】
また、占選システムサーバ２０は、ユーザ端末１０ａからの分析要求に基づいて、登録されているユーザ属性情報を基準にしてホロスコープの作成や吉凶の位置を示す方位占い表などの作成してユーザへ提供することも可能である。
【００３８】
さらに、以上のようなホロスコープや方位表などを図３に示す占い結果表示領域の一部に表示させた上で情報提供することも、ユーザの任意の設定により可能である。
【００３９】
なお、図３に示した画面例は、基本的な画面構成の一例を示したものであり、適宜設定変更並びにデザイン変更されるものであることは言うまでもない。
【実施例２】
【００４０】
また、予めユーザ属性情報を登録済みのユーザが通販商品の購入や旅行先を選定するために他の情報提供サイト３０をブラウジングしている際、占い結果による情報選択を行う場合も想定される。
【００４１】
そこで、予めユーザ属性情報を登録済みのユーザのブラウザ画面上に、図４に示すように「占い選択」などの簡易ボタンを表示するように設定し、他の情報提供サイト閲覧中でも本システムによる情報提供を受けられるようにしてもよい。
【実施例３】
【００４２】
また、図１に示す第１の実施例と同様の構成からなり、ユーザが情報提供サイト３０ａ〜３０ｎを経由して占選システムサーバ２０へアクセスしてユーザ属性情報の登録処理を行った後、システム利用を可能ならしめる構成としてもよい。即ち、ユーザは、例えば、ユーザ端末１０ａを介して情報提供サイト３０ｂにアクセスして所望の情報の検索処理等を行う際、当該情報提供サイト３０ｂのＷｅｂページ上に表示される本システムへのリンク（例えば、バナー広告など）をクリックすることにより、占選システムサーバ２０へアクセスしてユーザ属性情報の登録処理を行った後、再び情報提供サイト３０ｂにより提供されるＷｅｂページ上で、占選システムサーバ２０による占い選択結果に基づき選択された情報を選択して提供するサービスを享受することができる。
【００４３】
実施例３によれば、予めユーザ属性情報の登録処理を行っていないユーザやシステムの存在を知らないユーザでも、情報提供サイトにより運営されるＷｅｂページ上から簡単にユーザ属性情報の登録処理を行うことができ、情報登録後、直ぐに本システムによりユーザ属性情報による占い選択結果に基づいて情報提供サービスを享受することができるので、ユーザが特別煩雑な登録処理を行わず、簡易にサービスを利用することができる。
【実施例４】
【００４４】
さらに、図５に示すように、各情報提供サイト３０ａ〜３０ｎを運営する管理会社のそれぞれが占選システムサーバ２０を保有する構成としてもよい。ユーザは、任意のユーザ端末１０ａから通信回線網１００を介して任意の情報提供サイト３０ａにアクセスし、当該情報提供サイト３０ａの管理会社により保有される占選システムサーバ２０にユーザ属性情報を登録した後、このユーザ属性情報に基づいて演算処理された占い結果に基づいて、ユーザに相応しいとして選択された情報を享受することができる。
【００４５】
実施例４によれば、各情報提供サイトで占選システムサーバを具備する構成としたことにより、アクセスが集中した際におけるネットワーク負荷を分散することができると共に、一極集中の構成と比較して、よりスムーズな演算処理（占い結果の演算）を行うことができる。よって、ネットワーク負荷により情報が提供されるまでの待ち時間を短縮することができ、ユーザは、余分なストレスを感じることなく自らの占い結果に基づいて情報を提供を受けることが可能となる。
【図面の簡単な説明】
【００４６】
【図１】情報提供システムの概略構成を示すブロック図である。
【図２】情報提供システムの処理例を示すシーケンスチャートである。
【図３】実施例１のユーザ端末の画面構成例を示す平面図である。
【図４】実施例２のユーザ端末の画面構成例を示す平面図である。
【図５】実施例４の情報提供システムの概略構成を示すブロック図である。
【符号の説明】
【００４７】
１０ａ〜１０ｎ  ユーザ端末
２０  占選システムサーバ
２１  ユ―ザ属性ＤＢ
２２  ＣＰＵ
２３  運勢情報ＤＢ
３０  情報提供サイト
１００  通信回線網
【図１】
2005107562.tif 000003
【図２】
2005107562.tif 000004
【図３】
2005107562.tif 000005
【図４】
2005107562.tif 000006
【図５】
2005107562.tif 000007